【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
Wi-Fiネットワークエンティティによって動作可能な方法であって、
干渉測定のために少なくとも1つのトリガ表示を、前記Wi-Fiネットワークエンティティによってサービスされる少なくとも1つの局へ信号で伝えるステップと、
前記少なくとも1つのトリガ表示に基づいて得られた干渉測定値を、前記少なくとも1つの局から受信するステップと、
前記受信された干渉測定値に基づいて、前記少なくとも1つの局にサービスするための少なくとも2つのチャネルを第1の送信機パラメータとして選択するステップと、
前記受信された干渉測定値に基づいて、ready-to-send/clear-to-send(RTS/CTS)を第2の送信機パラメータとして使用するステップと、
通信のために前記少なくとも2つのチャネルを少なくとも1つの局と結合するステップと、
を備える、方法。
【請求項２】
チャネルレート制御ループ設定を第3の送信機パラメータとして選択するステップ、または、前記少なくとも1つの局と通信するための送信電力を第4の送信機パラメータとして選択するステップ、またはこれらの任意の組合せのうちの少なくとも1つをさらに備える、請求項1に記載の方法。
【請求項３】
前記少なくとも1つのトリガ表示は、衝突率、トラフィック負荷、または隣接チャネル干渉、またはこれらの組合せのうちの少なくとも1つに基づく、請求項1に記載の方法。
【請求項４】
前記少なくとも1つのトリガ表示のための時間オフセットを信号で伝えるステップをさらに備える、請求項1に記載の方法。
【請求項５】
前記時間オフセットは、ビーコン時間シードに基づくランダム化関数に基づく、請求項4に記載の方法。
【請求項６】
前記時間オフセットは、前記少なくとも1つの局が、前記少なくとも1つのトリガ表示に関連付けられたトリガの発生後に測定を開始するための待機期間を示す、請求項5に記載の方法。
【請求項７】
前記選択された少なくとも2つのチャネルで、前記少なくとも1つの局と通信するステップをさらに備える、請求項1に記載の方法。
【請求項８】
少なくとも1つのチャネルを選択するステップは、少なくとも2つのチャネルを選択するステップを備え、前記方法はさらに、前記少なくとも2つのチャネルのうちの第1のチャネルで第1の局と通信するステップと、前記少なくとも2つのチャネルのうちの第2のチャネルで第2の局と通信するステップとを備える、請求項1に記載の方法。
【請求項９】
少なくとも1つのチャネルを選択するステップは、少なくとも2つのチャネルを選択するステップを備え、前記方法はさらに、前記少なくとも2つのチャネルを介したTDMに基づいて、前記少なくとも1つの局と通信するステップを備える、請求項1に記載の方法。
【請求項１０】
第1のチャネルから第2のチャネルへの調整動作中に、前記少なくとも1つの局へclear-to-send-2-self(CTS2S)を送信するステップをさらに備える、請求項1に記載の方法。
【請求項１１】
干渉を測定する前にRTS/CTS信号を送信するステップをさらに備える、請求項10に記載の方法。
【請求項１２】
前記少なくとも2つのチャネルを選択するステップは、統合メトリック、またはアップリンク(UL)およびダウンリンク(DL)チャネル品質、またはこれらの組合せに基づいて選択するステップを備える、請求項1に記載の方法。
【請求項１３】
前記少なくとも1つのトリガ表示は、高衝突率である、請求項1に記載の方法。
【請求項１４】
Wi-Fi装置であって、
干渉測定のために少なくとも1つのトリガ表示を、Wi-Fiネットワークエンティティによってサービスされる少なくとも1つの局へ信号で伝え、前記少なくとも1つのトリガ表示に基づいて得られた干渉測定値を、前記少なくとも1つの局から受信し、前記受信された干渉測定値に基づいて、前記少なくとも1つの局にサービスするための少なくとも2つのチャネルを第1の送信機パラメータとして選択し、前記受信された干渉測定値に基づいて、ready-to-send/clear-to-send(RTS/CTS)を第2の送信機パラメータとして使用し、通信のために前記少なくとも2つのチャネルを少なくとも1つの局と結合するように構成された少なくとも1つのプロセッサと、
前記少なくとも1つのプロセッサに結合され、データを格納するためのメモリと、
を備えるWi-Fi装置。
【請求項１５】
チャネルレート制御ループ設定を第3の送信機パラメータとして選択すること、または、前記少なくとも1つの局と通信するための送信電力を第4の送信機パラメータとして選択すること、またはこれらの組合せのうちの少なくとも1つを備える、請求項14に記載のWi-Fi装置。
【請求項１６】
前記少なくとも1つのトリガ表示は、衝突率、トラフィック負荷、または隣接チャネル干渉、またはこれらの組合せのうちの少なくとも1つに基づく、請求項14に記載のWi-Fi装置。
【請求項１７】
前記少なくとも1つのプロセッサはさらに、前記少なくとも1つのトリガ表示のための時間オフセットを信号で伝えるように構成された、請求項14に記載のWi-Fi装置。
【請求項１８】
前記時間オフセットは、ビーコン時間シードに基づくランダム化関数に基づく、請求項17に記載のWi-Fi装置。
【請求項１９】
前記少なくとも1つのプロセッサはさらに、前記選択された少なくとも2つのチャネルで、前記少なくとも1つの局と通信するように構成された、請求項14に記載のWi-Fi装置。
【請求項２０】
少なくとも1つのチャネルを選択することは、少なくとも2つのチャネルを選択することを備え、前記少なくとも1つのプロセッサはさらに、前記少なくとも2つのチャネルのうちの第1のチャネルで第1の局と通信し、前記少なくとも2つのチャネルのうちの第2のチャネルで第2の局と通信するように構成された、請求項15に記載のWi-Fi装置。
【請求項２１】
少なくとも1つのチャネルを選択することは、少なくとも2つのチャネルを選択することを備え、前記少なくとも1つのプロセッサはさらに、前記少なくとも2つのチャネルを介したTDMに基づいて、前記少なくとも1つの局と通信するように構成された、請求項15に記載のWi-Fi装置。
【請求項２２】
第1のチャネルから第2のチャネルへの調整動作中に、前記少なくとも1つの局へclear-to-send-2-self(CTS2S)を送信するステップをさらに備える、請求項15に記載のWi-Fi装置。
【請求項２３】
干渉を測定する前にRTS/CTS信号を送信するステップをさらに備える、請求項22に記載のWi-Fi装置。
【請求項２４】
前記少なくとも1つのチャネルを選択することは、統合メトリック、またはアップリンク(UL)およびダウンリンク(DL)チャネル品質、またはこれらの組合せに基づいて選択することを備える、請求項15に記載のWi-Fi装置。
【請求項２５】
Wi-Fi装置であって、
干渉測定のために少なくとも1つのトリガ表示を、Wi-Fiネットワークエンティティによってサービスされる少なくとも1つの局へ信号で伝え、
前記少なくとも1つのトリガ表示に基づいて得られた干渉測定値を、前記少なくとも1つの局から受信し、
前記受信された干渉測定値に基づいて、前記少なくとも1つの局にサービスするための少なくとも2つのチャネルを第1の送信機パラメータとして選択し、前記受信された干渉測定値に基づいて、ready-to-send/clear-to-send(RTS/CTS)を第2の送信機パラメータとして使用し、通信のために前記少なくとも2つのチャネルを少なくとも1つの局と結合する
ための非一時的コンピュータプログラム手段とを備える、Wi-Fi装置。
【請求項２６】
チャネルレート制御ループ設定を第3の送信機パラメータとして選択すること、または、前記少なくとも1つの局と通信するための送信電力を第4の送信機パラメータとして選択すること、またはこれらを組合せのための非一時的コンピュータプログラム手段を備える、請求項25に記載のWi-Fi装置。
【請求項２７】
前記少なくとも1つのトリガ表示は、衝突率、トラフィック負荷、または隣接チャネル干渉、またはこれらの組合せのうちの少なくとも1つに基づく、請求項25に記載のWi-Fi装置。
【請求項２８】
前記少なくとも1つのトリガ表示のための時間オフセットを信号で伝えるための非一時的コンピュータプログラム手段をさらに備える、請求項25に記載のWi-Fi装置。
【請求項２９】
前記時間オフセットは、ビーコン時間シードに基づくランダム化関数に基づく、請求項28に記載のWi-Fi装置。
【請求項３０】
非一時的コンピュータ可読記憶媒体であって、
少なくとも1つのコンピュータに対して、
干渉測定のために少なくとも1つのトリガ表示を、Wi-Fiネットワークエンティティによってサービスされる少なくとも1つの局へ信号で伝えさせ、
前記少なくとも1つのトリガ表示に基づいて得られた干渉測定値を、前記少なくとも1つの局から受信させ、
前記受信された干渉測定値に基づいて、前記少なくとも1つの局にサービスするための少なくとも2つのチャネルを第1の送信機パラメータとして選択させ、
前記受信された干渉測定値に基づいて、ready-to-send/clear-to-send(RTS/CTS)を第2の送信機パラメータとして使用させ、
通信のために前記少なくとも2つのチャネルを少なくとも1つの局と結合させる
ためのコードを格納した、非一時的コンピュータ可読記憶媒体。
【請求項３１】
チャネルレート制御ループ設定を第3の送信機パラメータとして選択すること、または、前記少なくとも1つの局と通信するための送信電力を第4の送信機パラメータとして選択すること、またはこれらの組合せのうちの少なくとも1つを備える、請求項30に記載の非一時的コンピュータ可読記憶媒体。
【請求項３２】
前記少なくとも1つのトリガ表示は、衝突率、トラフィック負荷、または隣接チャネル干渉、またはそれらの組合せのうちの少なくとも1つに基づく、請求項30に記載の非一時的コンピュータ可読記憶媒体。
【請求項３３】
前記非一時的コンピュータ可読記憶媒体は、前記少なくとも1つのコンピュータに対して、前記少なくとも1つのトリガ表示のための時間オフセットを信号で伝えさせるためのコードをさらに格納する、請求項30に記載の非一時的コンピュータ可読記憶媒体。
【請求項３４】
前記時間オフセットは、ビーコン時間シードに基づくランダム化関数に基づく、請求項33に記載の非一時的コンピュータ可読記憶媒体。
【請求項３５】
Wi-Fi局によって動作可能な方法であって、
干渉測定のために少なくとも1つのトリガ表示を、ネットワークエンティティから受信するステップと、
前記受信された少なくとも1つのトリガ表示に基づいて、干渉を測定するステップと、
前記受信された干渉測定値に基づいて、前記少なくとも1つの局にサービスするための少なくとも2つのチャネルを第1の送信機パラメータとして選択することと、前記受信された干渉測定値に基づいて、ready-to-send/clear-to-send(RTS/CTS)を第2の送信機パラメータとして使用することと、通信のために前記少なくとも2つのチャネルを少なくとも1つの局と結合することとを前記ネットワークエンティティに行わせるために、前記測定された干渉値を、前記ネットワークエンティティに送信するステップと、
を備える方法。
【請求項３６】
前記少なくとも1つのトリガ表示は、衝突率、トラフィック負荷、または隣接チャネル干渉、またはこれらの組合せのうちの少なくとも1つに基づく、請求項35に記載の方法。
【請求項３７】
干渉を測定するステップは、異なるチャネルにおける干渉を測定するステップを備える、請求項35に記載の方法。
【請求項３８】
前記少なくとも1つのトリガ表示のための、前記干渉を測定するための開始時間オフセットを受信するステップをさらに備える、請求項35に記載の方法。
【請求項３９】
前記開始時間オフセットは、ビーコン時間シードに基づくランダム化関数に基づく、請求項38に記載の方法。
【請求項４０】
干渉を測定する前にclear-to-send-2-self(CTS2S)信号を送信するステップをさらに備える、請求項35に記載の方法。
【請求項４１】
干渉を測定する前にRTS/CTS信号を送信するステップをさらに備える、請求項40に記載の方法。
【請求項４２】
干渉を測定するステップは、しきい値を超えた干渉レベルおよび干渉デューティサイクルを伴う異なるチャネルの各々においてMAC IDおよびBSSIDを検知するステップを備える、請求項37に記載の方法。
【請求項４３】
少なくとも1つのチャネル選択を示す表示を受信するステップと、
前記選択された少なくとも1つのチャネルで、前記ネットワークエンティティと通信するステップと、
をさらに備える、請求項35に記載の方法。
【請求項４４】
CTS2S無しで第1の干渉値を測定するステップと、
前記CTS2Sを送信した後に第2の干渉値を測定するステップと、
前記第1および第2の干渉値を、前記ネットワークエンティティに送信するステップと、
をさらに備える、請求項37に記載の方法。
【請求項４５】
前記測定された干渉値を送信するステップは、前記ネットワークエンティティが送信機パラメータを調整するために、前記第1および第2の干渉値を送信するステップを備える、請求項44に記載の方法。
【請求項４６】
Wi-Fi装置であって、
干渉測定のために少なくとも1つのトリガ表示を、ネットワークエンティティから受信し、前記受信された少なくとも1つのトリガ表示に基づいて、干渉を測定し、前記受信された干渉測定値に基づいて、前記少なくとも1つの局にサービスするための少なくとも2つのチャネルを第1の送信機パラメータとして選択することと、前記受信された干渉測定値に基づいて、ready-to-send/clear-to-send(RTS/CTS)を第2の送信機パラメータとして使用することと、通信のために前記少なくとも2つのチャネルを少なくとも1つの局と結合することとを前記ネットワークエンティティに行わせるために、前記測定された干渉値を、前記ネットワークエンティティに送信するように構成された少なくとも1つのプロセッサと、
前記少なくとも1つのプロセッサに結合され、データを格納するためのメモリと、
を備えるWi-Fi装置。
【請求項４７】
前記少なくとも1つのトリガ表示は、衝突率、トラフィック負荷、または隣接チャネル干渉、またはこれらの組合せのうちの少なくとも1つに基づく、請求項46に記載のWi-Fi装置。
【請求項４８】
前記干渉を測定することは、異なるチャネルにおける干渉を測定することを備える、請求項46に記載のWi-Fi装置。
【請求項４９】
前記少なくとも1つのプロセッサはさらに、前記少なくとも1つのトリガ表示のための開始時間オフセットを受信するように構成された、請求項46に記載のWi-Fi装置。
【請求項５０】
前記開始時間オフセットは、ビーコン時間シードに基づくランダム化関数に基づく、請求項49に記載のWi-Fi装置。
【請求項５１】
前記少なくとも1つのプロセッサはさらに、干渉を測定する前にclear-to-send-2-self(CTS2S)信号を送信するように構成された、請求項46に記載のWi-Fi装置。
【請求項５２】
前記少なくとも1つのプロセッサはさらに、干渉を測定する前にRTS/CTS信号を送信するように構成された、請求項51に記載のWi-Fi装置。
【請求項５３】
Wi-Fi装置であって、
干渉測定のために少なくとも1つのトリガ表示を、ネットワークエンティティから受信し、
前記受信された少なくとも1つのトリガ表示に基づいて、干渉を測定し、、
前記受信された干渉測定値に基づいて、前記少なくとも1つの局にサービスするための少なくとも2つのチャネルを第1の送信機パラメータとして選択することと、前記受信された干渉測定値に基づいて、ready-to-send/clear-to-send(RTS/CTS)を第2の送信機パラメータとして使用することと、通信のために前記少なくとも2つのチャネルを少なくとも1つの局と結合することとを前記ネットワークエンティティに行わせるために、前記測定された干渉値を、前記ネットワークエンティティに送信する
ための非一時的コンピュータプログラム手段とを備える、Wi-Fi装置。
【請求項５４】
前記少なくとも1つのトリガ表示は、衝突率、トラフィック負荷、または隣接チャネル干渉、またはこれらの組合せのうちの少なくとも1つに基づく、請求項53に記載のWi-Fi装置。
【請求項５５】
干渉を測定することは、異なるチャネルにおける干渉を測定することを備える、請求項53に記載のWi-Fi装置。
【請求項５６】
前記少なくとも1つのトリガ表示のための開始時間オフセットを受信するための非一時的コンピュータプログラム手段をさらに備える、請求項53に記載のWi-Fi装置。
【請求項５７】
前記開始時間オフセットは、ビーコン時間シードに基づくランダム化関数に基づく、請求項56に記載のWi-Fi装置。
【請求項５８】
干渉を測定する前にclear-to-send-2-self(CTS2S)信号を送信するための非一時的コンピュータプログラム手段をさらに備える、請求項53に記載のWi-Fi装置。
【請求項５９】
干渉を測定する前にRTS/CTS信号を送信するための非一時的コンピュータプログラム手段をさらに備える、請求項58に記載のWi-Fi装置。
【請求項６０】
コンピュータプログラムであって、
少なくとも1つのコンピュータに対して、
干渉測定のために少なくとも1つのトリガ表示を、Wi-Fi局において、ネットワークエンティティから受信させ、
前記受信された少なくとも1つのトリガ表示に基づいて、干渉を測定させ、
前記受信された干渉測定値に基づいて、前記少なくとも1つの局にサービスするための少なくとも2つのチャネルを第1の送信機パラメータとして選択することと、前記受信された干渉測定値に基づいて、ready-to-send/clear-to-send(RTS/CTS)を第2の送信機パラメータとして使用することと、通信のために前記少なくとも2つのチャネルを少なくとも1つの局と結合することととを前記ネットワークエンティティに行わせるために、前記ネットワークエンティティへ、前記測定された干渉値を送信させる
ためのコードを格納した、非一時的コンピュータ可読記憶媒体。
【請求項６１】
前記少なくとも1つのトリガ表示は、衝突率、トラフィック負荷、または隣接チャネル干渉、またはこれらの組合せのうちの少なくとも1つに基づく、請求項60に記載の非一時的コンピュータ可読記憶媒体。
【請求項６２】
前記非一時的コンピュータ可読記憶媒体はさらに、前記少なくとも1つのコンピュータに対して、前記少なくとも1つのトリガ表示のための開始時間を受信させるためのコードを格納する、請求項60に記載の非一時的コンピュータ可読記憶媒体。
【請求項６３】
前記非一時的コンピュータ可読記憶媒体はさらに、前記少なくとも1つのコンピュータに対して、干渉を測定する前にclear-to-send-2-self(CTS2S)信号を送信させるためのコードを格納する、請求項60に記載の非一時的コンピュータ可読記憶媒体。
【請求項６４】
前記非一時的コンピュータ可読記憶媒体はさらに、前記少なくとも1つのコンピュータに対して、干渉を測定する前にRTS/CTS信号を送信させるためのコードを格納する、請求項63に記載の非一時的コンピュータ可読記憶媒体。